(57)【要約】【課題】冷蔵保存時に温度変化を極力生じさせることがなく、両手でも余る数の卵を少ない回数で運搬することができ、卵を洗浄した場合に水分を拭き取らないでも水分が冷蔵庫内に流れ出したりすることを防止する。【解決手段】卵が収納される卵収納部を備えた卵収納具１と、卵収納具上に他の卵収納具３を載置する際に卵収納具同士を着脱自在に連結する連結部（棒状部材２ｃ）と、卵収納具１，３を運搬する際に指を掛ける把手部（棒状部材２ｃ）とを備えた。卵が収納される卵収納部を備えた卵収納具と、卵収納具が着脱自在に載置され卵収納具に着脱自在に係合する係合部を備えた載置台と、載置台に載置された卵収納具を運搬する際に指を掛ける把手部とを備えたものでもよい。載置台に載置された卵収納具上に同様な構造の他の卵収納具を載置する際に卵収納具同士を着脱自在に連結する連結部を備えたものでもよい。【選択図】図１
2006089078.tif 000002
【特許請求の範囲】
【請求項１】
卵が収納される卵収納部を備えた卵収納具と、この卵収納具上に同様な構造の他の卵収納具を載置する際にこれらの卵収納具同士を着脱自在に連結する連結部と、前記卵収納具を運搬する際に指を掛ける把手部とを備えたことを特徴とする卵収納容器。
【請求項２】
卵が収納される卵収納部を備えた卵収納具と、この卵収納具が着脱自在に載置され当該卵収納具に着脱自在に係合する係合部を備えた載置台と、この載置台に載置された卵収納具を当該載置台と一緒に運搬する際に指を掛ける把手部とを備えたことを特徴とする卵収納容器。
【請求項３】
前記載置台に載置された前記卵収納具上に同様な構造の他の卵収納具を載置する際にこれらの卵収納具同士を着脱自在に連結する連結部を備えたことを特徴とする請求項２記載の卵収納容器。
【請求項４】
卵が収納される卵収納部及び当該卵収納部に収納された卵の表面に付着した水分を卵収納部から排出する排出部を備えた卵収納具と、この卵収納具が着脱自在に載置され当該卵収納具に着脱自在に係合する係合部を備えるとともに前記排出孔から排出された水分が溜められる載置皿と、この載置皿に載置された卵収納具を当該載置皿と一緒に運搬する際に指を掛ける把手部とを備えたことを特徴とする卵収納容器。
【請求項５】
前記載置皿に載置された前記卵収納具上に同様な構造の他の卵収納具を載置する際にこれらの卵収納具同士を着脱自在に連結する連結部を備えたことを特徴とする請求項４記載の卵収納容器。
【請求項６】
前記把手部が前記連結部に形成されていることを特徴とする請求項１〜５のいずれかに記載の卵収納容器。
【請求項７】
前記連結部が前記係合部に形成されていることを特徴とする請求項６記載の卵収納容器。
【発明の詳細な説明】
【技術分野】
【０００１】
本発明は、卵（主として鶏卵、以下卵と総称する。）を収納するための卵収納容器、特に冷蔵庫などの冷蔵室内に取り出し可能に配置することができる卵収納容器に関する。
【背景技術】
【０００２】
卵は痛みやすいので冷蔵保存を必要とする。家庭では冷蔵保存は通常冷蔵庫により行われる。家庭用の冷蔵庫の扉内側には卵を収納する卵収納孔が複数形成された卵収納棚が設けられている（特許文献１参照）。
【特許文献１】特開平６−１４７７４２号公報
【発明の開示】
【発明が解決しようとする課題】
【０００３】
特許文献１に示された冷蔵庫に付設された卵収納棚では、冷蔵庫内の食品などを取り出そうと扉を開くたびに、卵収納棚の付近の温度変化（温度上昇）が生じ、卵の鮮度を保持する上で好ましくない。
【０００４】
また、多数の卵を取り出して運搬する場合には、卵収納棚から卵を１個ずつ取り出して、片手又は両手で持てるだけの数の卵を持って運搬するので、両手でも余る数の卵を運搬しようとした場合、冷蔵庫との間を何度も往復しなければならない。
【０００５】
また、最近は出荷される卵の管理は良くて卵に明らかな汚れが付着していることは少ないが、衛生上は一度卵を水で洗浄してから冷蔵庫などで保存することが好ましい。しかしながら、例えば、特許文献１に示すような卵収納棚では、水切りを考慮した構造になっていないので、洗浄した際に卵に付着した水分をよく拭き取らないと、付着した水が卵収納棚の下部に溜まったり冷蔵庫内に流れ出したりするという不都合が生ずる。
【０００６】
本発明はかかる事情に鑑みてなされたもので、冷蔵保存時に温度変化を極力生じさせることなく、両手でも余る数の卵を少ない回数で運搬することができ、好ましくは卵を水で洗浄した場合に水分を拭き取らないでも水分が冷蔵庫内に流れ出したり溜まったりすることがない卵収納容器を提供することを目的とする。
【課題を解決するための手段】
【０００７】
本発明の請求項１記載の卵収納容器は、卵が収納される卵収納部を備えた卵収納具と、この卵収納具上に同様な構造の他の卵収納具を載置する際にこれらの卵収納具同士を着脱自在に連結する連結部と、前記卵収納具を運搬する際に指を掛ける把手部とを備えたことを特徴とする。
【０００８】
本発明の請求項２記載の卵収納容器は、卵が収納される卵収納部を備えた卵収納具と、この卵収納具が着脱自在に載置され当該卵収納具に着脱自在に係合する係合部を備えた載置台と、この載置台に載置された卵収納具を当該載置台と一緒に運搬する際に指を掛ける把手部とを備えたことを特徴とする。
【０００９】
本発明の請求項３記載の卵収納容器は、前記載置台に載置された前記卵収納具上に同様な構造の他の卵収納具を載置する際にこれらの卵収納具同士を着脱自在に連結する連結部を備えたことを特徴とする。
【００１０】
本発明の請求項４記載の卵収納容器は、卵が収納される卵収納部及び当該卵収納部に収納された卵の表面に付着した水分を卵収納部から排出する排出部を備えた卵収納具と、この卵収納具が着脱自在に載置され当該卵収納具に着脱自在に係合する係合部を備えるとともに前記排出孔から排出された水分が溜められる載置皿と、この載置皿に載置された卵収納具を当該載置皿と一緒に運搬する際に指を掛ける把手部とを備えたことを特徴とする。
【００１１】
本発明の請求項５記載の卵収納容器は、前記載置皿に載置された前記卵収納具上に同様な構造の他の卵収納具を載置する際にこれらの卵収納具同士を着脱自在に連結する連結部を備えたことを特徴とする。
【００１２】
本発明の請求項６記載の卵収納容器は、前記把手部が前記連結部に形成されていることを特徴とする。
【００１３】
本発明の請求項７記載の卵収納容器は、前記連結部が前記係合部に形成されていることを特徴とする。
【発明の効果】
【００１４】
本発明の請求項１記載の卵収納容器によれば、卵収納具の卵収納部に卵を収納して把手部に指を掛けて運搬することができる。さらに、卵収納具の連結部により他の卵収納具を載置して連結でき、把手部を使用することにより複数の卵収納具を同時に運搬することもできる。
【００１５】
本発明の請求項２記載の卵収納容器によれば、収納具の卵収納部に卵を収納して載置台に着脱自在に連結・係合させ、把手部に指を掛けて卵収納具を載置台と一緒に運搬することができる。
【００１６】
本発明の請求項３記載の卵収納容器によれば、連結部により他の卵収納具を載置して連結でき、把手部を使用することにより複数の卵収納具を同時に載置台と一緒に運搬することができる。
【００１７】
本発明の請求項４記載の卵収納容器によれば、収納具の卵収納部に卵を収納して載置皿に着脱自在に連結・係合させ、把手部に指を掛けて卵収納具を載置皿と一緒に運搬することができる。さらに、卵を水で洗浄した場合に卵の表面に付着した水分は卵収納部から排出部を通って排出させられて載置皿に溜まるので、卵の表面に付着した水分が卵収納容器の外に漏れ出ることがなく、洗浄後の卵を収納した卵収納容器を冷蔵庫内に設置した場合でも水分が冷蔵庫内に流れ出たりすることがない。
【００１８】
本発明の請求項５記載の卵収納容器によれば、連結部により他の卵収納具を載置して連結でき、把手部を使用することにより複数の卵収納具を同時に載置皿と一緒に運搬することができる。
【００１９】
本発明の請求項６記載の卵収納容器によれば、連結部に形成された把手部に指を掛けるあるいは指で握って１又は２以上の卵収納具を同時に運搬することができる。さらに、連結部に把手部が形成されているので、構造が簡単になり操作も容易になるなどの利点が生ずるとともに、卵収納容器の製造工程も簡素なものとすることができる。
【００２０】
本発明の請求項７記載の卵収納容器によれば、係合部と連結部とに形成された把手部に指を掛けるあるいは指で握って１又は２以上の卵収納具を、載置台又は載置皿とともに、同時に運搬することができる。さらに、係合部と連結部とに把手部が形成されているので、構造が簡単になり操作も容易になるなどの利点が生ずるとともに、卵収納容器の製造工程も簡素なものとすることができる。
【発明を実施するための最良の形態】
【００２１】
本発明の実施の一形態に係る卵収納容器について、図面を参照して説明する。
【００２２】
本発明の実施の一形態に係る卵収納容器は、図１に示すように、複数個の卵を収納する卵収納具１と、この卵収納具１が載置される載置皿２と、前記卵収納具１の上面に載置される卵収納具３とを備えて概略構成される。
【００２３】
載置皿２はプラスチックなどの材料からなり、図２に示すように、円板状の底板２ａの周縁部に円筒状の立壁２ｂが一体的に形成され、皿状に形成されている。底板２ａの上面のほぼ中央部には、先端先細りのテーパー形状の断面円形の棒状部材２ｃが突出して形成されている。棒状部材２ｃの先端には、ひよこのデザインの頭部２ｄが形成されている。この頭部２ｄは後述するように棒状部材２ｃの先端部付近を握った場合の引っ掛かりになる。
【００２４】
卵収納具１は、図３又は図５に示すように、１個の卵が収納される卵の外形形状に対応した窪み形状となった卵収納部１ａと、この卵収納部１ａの下部に開口した円形の孔から構成される、収納された卵の表面に付着した水分を卵収納部１ａから外に排出するための排出部１ｂと、付着した水分を排出部１ｂに導くために卵収納部１ａの内面から突出した複数の凸条１ｃとを備えている。卵収納部１ａの下端は卵収納具１の下縁よりも図中上方に位置している。
【００２５】
卵収納部１ａは卵収納具１の円周方向に沿って複数個（図では５個）等間隔で形成されている。また、卵収納具１の周縁部には図中上方に向けて波形の波形突起部１ｄが複数個（図では５個）等間隔で形成されている。波形突起部１ｄは、平面視した場合にそのピーク部が記卵収納部１ａの径方向外方に位置するように形成されている。
【００２６】
卵収納具１の中央部には、ガイド孔部１ｆが形成された円筒状のガイド突起部１ｅが形成されている。このガイド孔部１ｆには前記載置皿２の棒状部材２ｃが挿入され、卵収納具１が載置皿２に係合させられる。
【００２７】
ここで、卵収納具１は、ポリプロピレンなどのプラスチックなどの材料からなる薄板を熱成形して形成したものが、卵収納具１の軽量化などの面から好適である（図６参照）。
【００２８】
卵収納具３は、卵収納具１とほぼ同様な構造をしている。すなわち、卵収納具３は、図４、図５又は図６に示すように、１個の卵が収納される卵の外形形状に対応した窪み形状となった卵収納部３ａと、この卵収納部３ａの下部に開口した円形の孔から構成された、収納された卵の表面に付着した水分を卵収納部３ａから排出するための排出部３ｂと、付着した水分を排出部３ｂに導くために卵収納部３ａの内面から突出した複数の凸条３ｃとを備えている。卵収納部３ａの下端は卵収納具３の下縁よりも図中上方に位置している。
【００２９】
卵収納部３ａは卵収納具３の円周方向に沿って複数個（図では５個）等間隔で形成されている。また、卵収納具３の周縁部には図中上方に向けて波形の波形突起部３ｄが複数個（図では５個）等間隔で形成されている。波形突起部３ｄは、平面視した場合にそのピーク部が記卵収納部３ａの径方向外方に位置するように形成されている。
【００３０】
また、卵収納具３の下縁には、卵収納具３を前記卵収納具１の上方に重ねたときに卵収納具１の波形突起部１ｄの先端部が嵌まり込む切欠き形状の凹部３ｇが複数個（図では５個）等間隔で形成されている。凹部３ｇは、平面視した場合に卵収納具３の波形突起部３ｄの谷部に対応する位置に形成されている。この位置関係から卵収納具１，３を重ねた場合に、卵収納具１の卵収納部１ａと卵収納具３の卵収納部３ａとが周方向に交互に配置される。この結果、卵収納具１，３のそれぞれの高さを低く抑えることができる。
【００３１】
卵収納具３の中央部には、ガイド孔部３ｆが形成された円筒状のガイド突起部３ｅが形成されている。このガイド孔部３ｆには前記載置皿２の棒状部材２ｃが挿入され、卵収納具３が載置皿２に係合させられる。
【００３２】
ここでは、卵収納具１は、図６に示すように、ポリプロピレンなどのプラスチックなどの材料からなる薄板を熱成形して形成したものが採用される。このものは、軽量化などの面から好適である。
【００３３】
本卵収納容器では、載置皿２から突出して形成した棒状部材２ｃの下半分は卵収納具１を載置皿２に係合させる係合部を構成し、棒状部材２ｃの中間部は卵収納具１の上に他の卵収納具３を連結する連結部を構成し、棒状部材２ｃのほぼ上半分は載置皿２に載置された卵収納具を運搬する際に指を掛ける把手部を構成する。すなわち、把手部が連結部に一体的に形成されるとともに、連結部が係合部に一体的に形成された形態をなしている。
【００３４】
次に、本発明の実施の一形態に係る卵収納容器の使用方法について説明する。
【００３５】
卵収納具１，３の卵収納部１ａ，３ａのそれぞれに１個の卵を装填する。卵を洗浄する場合には、卵が装填された卵収納具１又は卵収納具３を手で持って水道の蛇口から流れる流水などに曝して卵の外面を洗浄する。卵は曲面状で滑りやすく洗い難く、しかも容易に殻が割れるという特性をもっているが、本実施の形態の卵収納具１，３の卵収納部１ａ，３ａによって保持された卵は安定していて容易にかつ手際よく洗うことができる。
【００３６】
次に、卵収納具１のガイド孔部１ｆに載置皿２から突出する棒状部材２ｃを挿入し、卵収納具１を下まで下ろして載置皿２の周縁部２ｂ内に載置・収納する。
【００３７】
次に、棒状部材２ｃに卵収納具３のガイド孔部３ｆを挿入して、卵収納具３を卵収納具１の上方に載置する。この際、卵収納具１の波形突起１ｄの先端を卵収納具３の下縁部に形成された凹部３ｇに嵌め込む。これにより、卵収納具１，３に形成された卵収納部１ａ，３ａが周方向に互い違いに配置される。また、波形突起１ｄと凹部３ｇとの嵌まり合いにより安定度が高まる。
【００３８】
卵を洗った際に卵の表面に付着した水分は、卵収納部１ａ，３ａの壁面や内面に形成された凸条１ｃ，３ｃに案内されて下方に導かれ排出部１ｂ，３ｂから下方の載置皿２にしたたって載置皿２に溜まる。したがって、本卵収納容器を洗浄後直ちに冷蔵庫の冷蔵室に収納しても冷蔵室内に水分が流れ出ることがない。そして、しばらく、水切りをした後に載置皿２内の水をタオルなどで吸水したり捨てたりすることにより取り除く。
【００３９】
卵を調理に使用する場合には、棒状部材２ｃの先端部を握って卵収納容器を載置皿２、卵収納具１，３とともに持ち上げて運搬する。本実施の形態の卵収納容器では最高１０個の卵を一度の操作で運搬することができる。
【００４０】
以下に、本発明の他の実施の形態について説明する。
【００４１】
上記実施の形態に係る卵収納容器では、載置皿２から突出する棒状部材２ｃによって本発明の係合部、連結部、把手部を実現しているが、卵収納具３のガイド突起３ｅ近傍より上部を無くし、代わりに載置皿２の周縁部に指掛かり部を突出させて形成させて当該指掛かり部を把手部として機能させるようにしてもよい。
【００４２】
さらに、棒状部材２ｃを卵収納具３のガイド突起３ｅと係合しない長さに短くし棒状部材２ｃに卵収納具１を載置皿２に係止する機能のみを持たせ、代わりに例えば卵収納具１上に卵収納具３を連結する連結部（例えばピンと孔）を卵収納具１，３に形成するようにしてもよい。
【００４３】
また、上記実施の形態の卵収納容器では、棒状部材２ｃを載置皿２の中心に１本形成しているが、同様な機能を備えた棒状部材を２本又はそれ以上突出して形成するようにしてもよい。また、配置位置は載置皿２の中心ではなく周縁部付近や外周面に形成するようにしてもよい。この構造とした場合には、２本の棒状部材の先端を両手で持って運搬させることができる。
【００４４】
また、棒状部材２ｃの先端部（ガイド突起３ｅよりも上方の部分）を別体の部材で形成し、これらの部材をヒンジ結合するようにし、収納時にヒンジ部で折り曲げるようにしてもよい。これにより収納時の高さを低くすることができる。
【００４５】
また、卵収納具１，３のそれぞれ自体を持ち運ぶ際に指掛かりとなる突起部や孔を卵収納具１，３自体に形成するようにしてもよい。
【００４６】
また、上記実施の形態の卵収納容器では卵収納具１，３をプラスチックなどの材料の薄板を熱成形したものを例示したが、卵収納具をプラスチックなどの材料を射出成形などしたブロック状のものであってもよい。この場合、軽量化の観点から強度を必要としない部分に凹みなどを形成するようにすることが好ましい。
【００４７】
上記実施の形態の卵収納容器では、卵収納具１の上方に卵収納具３を載置したもの、すなわち同様な構造の２個の卵収納具１，３を備えたものを示したが、卵収納具３の上方に卵収納具３と同様な卵収納具を少なくとも１個載置するようにしたものであってもよい。これにより上記卵収納容器よりも多数の卵を同時に運搬することができる。
【００４８】
また、上記実施の形態の卵収納容器では、卵収納具１，３に形成した卵収納部１ａ，３ａの下部に排出部１ｂ，３ｂを形成しているが、卵を水で洗って収納することを行わないのであれば、排出部１ｂ，３ｂを設ける必要はない。また、水分の受け皿となる載置皿２を設ける必要はなく、例えば水溜め機能の無い平板状の載置台に置き換えてもよい。
【００４９】
さらに、水で洗って収納しないのであれば、載置皿や載置台を設ける必要はない。例えば、卵が収納される卵収納部を備えた卵収納具と、この卵収納具上に同様な構造の他の卵収納具を載置する際にこれらの卵収納具同士を着脱自在に連結する連結部と、下側に位置する卵収納具などに形成された卵収納具を運搬する際に指を掛ける把手部を備えたものであってもよい。
【図面の簡単な説明】
【００５０】
【図１】本発明の実施の形態に係る卵収納容器を示す側面図である。
【図２】本発明の実施の形態に係る卵収納容器の載置皿を示す斜視図である。
【図３】本発明の実施の形態に係る卵収納容器の卵収納具を示す斜視図である。
【図４】本発明の実施の形態に係る卵収納容器の卵収納具を示す斜視図である。
【図５】本発明の実施の形態に係る卵収納容器の卵収納具を上方から見た図である。
【図６】本発明の実施の形態に係る卵収納容器の卵収納具の断面図である。
【符号の説明】
【００５１】
１，３    卵収納具
１ａ，３ａ    卵収納部
１ｂ，３ｂ    排出部
１ｃ，３ｃ    凸条
１ｄ，３ｄ    波形突起
１ｅ，３ｅ    ガイド突起
１ｆ，３ｆ    ガイド孔部
３ｇ    凹部
２    載置皿
２ａ    底板
２ｂ    周縁
２ｃ    棒状部材
２ｄ    頭部
【図１】
2006089078.tif 000003
【図２】
2006089078.tif 000004
【図３】
2006089078.tif 000005
【図４】
2006089078.tif 000006
【図５】
2006089078.tif 000007
【図６】
2006089078.tif 000008